(57)【要約】【課題】同一モニタでデジタル映像を断続的に表示する場合において、デジタルネットワークの経路が一旦切断されて再度接続されたとき、モニタに映像をすぐに表示することのできる映像監視システムを提供すること。【解決手段】デジタルネットワーク１３を介して伝送される種別つきのデジタル映像信号を種別情報に従って選択入力する。種別情報を保持する表示種別情報保持部１９とデコード種別情報保持部２０とを有し、種別情報は同時に更新される。表示種別情報保持部１９に種別情報が保持されているときは、この種別情報を持つデジタル映像信号を選択入力しアナログ映像信号に変換してモニタ１５に表示する。表示種別情報保持部１９の種別情報が削除されたとき、モニタ１５への表示は中止するが、デコード種別情報保持部２０に保持された種別情報と同じ種別情報のデジタル映像信号を選択しアナログ映像信号へ変換し続ける。【選択図】図１
2007043347.tif 000002
【特許請求の範囲】
【請求項１】
デジタルネットワークを介して伝送される種別つきのデジタル映像信号の種別を保持する第１の種別保持部と、
前記第１の種別保持部に保持された種別が他の種別に更新されたとき、前記更新された種別を保持する第２の種別保持部と、
前記デジタルネットワークを通じて伝送される種別つきのデジタル映像信号の中から、前記第１の種別保持部に種別が保持されているときは、前記第１の種別保持部に保持された種別と同じ種別を持つ前記デジタル映像信号を選択入力し、前記第１の種別保持部に種別が保持されていないときは、前記第２の種別保持部に保持された種別と同じ種別を持つ前記デジタル映像信号を選択入力するデジタル映像信号選択入力部と、
前記デジタル映像信号選択入力部が選択入力した前記デジタル映像信号をモニタに表示する第１のアナログ映像信号に変換するアナログ映像信号出力制御部とを有する映像監視システム。
【請求項２】
前記第１のアナログ映像信号および第２のアナログ映像信号のいずれか一方を選択する選択部を有し、
前記選択部は、前記デジタル映像信号選択入力部が前記第１の種別保持部に保持された種別と同じ種別を持つ前記デジタル映像信号を選択入力しているときは、前記第１のアナログ映像信号を選択し、前記デジタル映像信号選択入力部が前記第２の種別保持部に保持された種別と同じ種別を持つ前記種別つきのデジタル映像信号を選択入力しているときは、前記第２のアナログ映像信号を選択する請求項１記載の映像監視システム。
【発明の詳細な説明】
【技術分野】
【０００１】
本発明は映像監視システムに関し、特に、カメラで撮影された映像をデジタル映像信号に変換して伝送し、それを復号してモニタに映像表示する映像監視システムに係るものである。
【背景技術】
【０００２】
従来の映像監視システムは、図７に示すように、複数のカメラ５１ａ、５１ｂ〜５１ｎによって撮影されたアナログ映像信号が、それぞれ対応するエンコーダ（図７ではＥＮＣと示す）５２ａ、５２ｂ〜５２ｎによって符号化されデジタル映像信号となって、デジタルネットワーク５３に送信される。デジタルネットワーク５３に送信されたデジタル映像信号は、所定のデコーダ（図７ではＤＥＣと示す）５４ａ、５４ｂに伝送され、アナログ映像信号に復号化される。復号化されたアナログ映像信号は、スイッチ５６によって選択されたモニタ５５に表示される。
【０００３】
経路選択制御手段５７は、モニタ５５に表示するカメラを選択する。
【０００４】
図８は、デコーダに入力されたデジタル映像信号がモニタ５５に表示される過程を示している。Ａ１〜Ａ１６はデコーダに入力されるデジタル映像信号のフレームである。一方、Ｍ１〜Ｍ１４は、デコーダによってデコードされたアナログ映像信号のフレームである。また、Ｍ０およびＭ−１は、フレームＭ１の一つ前のフレームおよび二つ前のフレームである。
【０００５】
例えば、デコーダ５４ａに入力されたフレームＡ１は、デコーダ５４ａによってデコードするための時間がかかるため、少し遅れてフレームＭ１となり、モニタ５５に表示される。
【０００６】
従来の映像監視システムでは、デコーダ５４ａにフレームＡ６の画像が入力された直後、回線が切断されると、デコードも中止されるため、フレームＡ７以降のデコードは中止される（例えば特許文献１参照）。
【特許文献１】特開２０００−３１６１４８号公報
【発明の開示】
【発明が解決しようとする課題】
【０００７】
しかしながら、フレームＡ１３からのデコードが再開されたとき、デジタル映像信号をデコードするための時間Δｔを要するので、時間Δｔの経過後に、モニタ５５にはフレームＭ１３の画像が少し遅れて表示される。
【０００８】
このように、従来の映像監視システムにおいては、同一モニタで同一カメラの映像を見る場合、デジタルネットワークの経路が一旦切断されると、デコーダのデコードが中止されてしまうため、再度接続されたとき、映像がモニタに表示されるまでにある時間を要するという問題があった。
【０００９】
本発明は、従来の問題を解決するためになされたもので、同一モニタで映像を断続的に表示する場合において、デジタルネットワークの経路が一旦切断されて再度接続されたとき、モニタに映像をすぐに表示することのできる映像監視システムを提供することを目的とする。
【課題を解決するための手段】
【００１０】
本発明の映像監視システムは、デジタルネットワークを介して伝送される種別つきのデジタル映像信号の種別を保持する第１の種別保持部と、前記第１の種別保持部に保持された種別が他の種別に更新されたとき、前記更新された種別を保持する第２の種別保持部と、前記デジタルネットワークを通じて伝送される種別つきのデジタル映像信号の中から、前記第１の種別保持部に種別が保持されているときは、前記第１の種別保持部に保持された種別と同じ種別を持つ前記種別つきのデジタル映像信号を選択入力し、前記第１の種別保持部に種別が保持されていないときは、前記第２の種別保持部に保持された種別と同じ種別を持つ前記種別つきのデジタル映像信号を選択入力するデジタル映像信号選択入力部と、前記デジタル映像信号選択入力部が選択入力した前記デジタル映像信号をモニタに表示する第１のアナログ映像信号に変換するアナログ映像信号出力制御部とを有している。
【００１１】
この構成により、第１の種別保持部に種別情報が保持されなくなった後も、第２の種別保持部に保持された種別情報を用いて、同じ種別情報のデジタル映像信号を選択入力し続けることができるため、第１の種別保持部に、再度前と同じ種別情報が保持されたとき、アナログ映像信号出力の遅延をなくすことができる。
【００１２】
また、本発明の映像監視システムは、前記第１のアナログ映像信号および第２のアナログ映像信号のいずれか一方を選択する選択部を有し、前記選択部は、前記デジタル映像信号選択入力部が前記第１の種別保持部に保持された種別と同じ種別を持つ前記種別つきのデジタル映像信号を選択入力しているときは、前記第１のアナログ映像信号を選択し、前記デジタル映像信号選択入力部が前記第２の種別保持部に保持された種別と同じ種別を持つ前記種別つきのデジタル映像信号を選択入力しているときは、前記第２のアナログ映像信号を選択する構成を有している。
【００１３】
この構成により、第１の種別保持部に種別情報が保持されていないとき、第２のアナログ映像信号を選択することができ、第１の種別保持部に、再度前と同じ種別情報が保持されたとき、第１のアナログ映像信号を遅延なく出力することができる。
【発明の効果】
【００１４】
本発明は、同一モニタで映像を断続的に表示する場合において、表示が一旦中止され、再度開始されたとき、モニタに映像をすぐに表示することのできる映像監視システムを提供することができるものである。
【発明を実施するための最良の形態】
【００１５】
（実施の形態１）
以下、本発明の実施の形態の映像監視システムについて、図面を用いて説明する。
【００１６】
図１は、本発明の実施の形態１における映像監視システムの構成を示すブロック図である。
【００１７】
本発明の実施の形態１における映像監視システムは、カメラ１１ａ、１１ｂ、・・・１１ｋ〜１１ｎ、エンコーダ（図１ではＥＮＣと記す）１２ａ、１２ｂ、・・・１２ｋ〜１２ｎ、デジタルネットワーク１３、デコーダ（図１ではＤＥＣと記す）１４、モニタ１５、および経路選択制御装置１６によって構成されている。
【００１８】
複数のカメラ１１ａ、１１ｂ、・・・１１ｋ〜１１ｎは映像を撮影する。複数のエンコーダ１２ａ、１２ｂ、・・・１２ｋ〜１２ｎは、これらのカメラにて撮影されたアナログ映像信号をデジタル映像信号に変換する。デジタルネットワーク１３は、これらのデジタル映像信号を伝送する。経路選択制御部１６は、エンコーダ１２ａ、１２ｂ、・・・１２ｋ〜１２ｎがデジタルネットワーク１３に出力したデジタル映像信号のうち、どのデジタル映像信号をデコーダ１４に入力するかを決定する。
【００１９】
デコーダ１４は、デジタル映像信号選択入力部１７、アナログ映像信号出力制御部１８、表示種別保持部１９、デコード種別保持部２０、および選択部２１によって構成されている。
【００２０】
デコーダ１４は、デジタルネットワーク１３からデジタル映像信号を入力し、そのデジタル映像信号をアナログ映像信号に復号化し、かつ復号化したアナログ映像信号を出力する。
【００２１】
モニタ１５は、このアナログ映像信号を表示する。
【００２２】
また、デジタル映像信号選択入力部１７は、デジタルネットワーク１３からのデジタル映像信号を選択する。アナログ映像信号出力制御部１８は、デジタル映像信号をアナログ映像信号に変換する。第１の種別保持部である表示種別保持部１９および第２の種別保持部であるデコード種別保持部２０は、デジタル映像信号の種別情報を保持する。選択部２１は、モニタ１５に表示するデータの切り替えを行なう。
【００２３】
以上のように構成された映像監視システムについて、図１〜図３を用いてその動作を説明する。
【００２４】
図１において、カメラ１１ａ、１１ｂ、・・・１１ｋ〜１１ｎによって撮影されたアナログ映像信号は、エンコーダ１２ａ、１２ｂ、・・・１２ｋ〜１２ｎによってエンコードされ、デジタル映像信号として、デジタルネットワーク１３に送られる。このとき、各カメラのデジタル映像信号には種別情報として各カメラの番号が添付されている。
【００２５】
デジタル映像信号選択入力部１７の選択するデジタル映像信号の種別情報は、経路選択制御装置１６が指定する。例えば、カメラ１１ｋの画像を選択する場合は、経路選択制御装置１６は、カメラの番号である「１１ｋ」を種別情報として、デジタル映像信号選択入力部１７に伝える。
【００２６】
デジタル映像信号選択入力部１７は、受け取った種別情報を表示種別保持部１９およびデコード種別保持部２０に保持する。
【００２７】
表示種別保持部１９に、カメラ番号などの種別情報が保持されている場合には、デジタル映像信号選択入力部１７は、デジタルネットワーク１３に流れているデジタル映像信号のうち、表示種別保持部１９に保持されている種別情報と同じデータ種別を持ったものを選択入力する。
【００２８】
一方、表示種別保持部１９に、種別情報が保持されていない場合には、デジタル映像信号選択入力部１７は、デコード種別保持部２０に保持されている種別情報と同じ種別情報を持ったものを選択入力する。
【００２９】
アナログ映像信号出力制御部１８は、デジタル映像信号選択入力部１７によって選択入力されたデジタル映像信号をアナログ映像信号に変換する。このとき、デジタル映像信号からアナログ映像信号に変換するために多少の時間を要するので、アナログ映像信号出力制御部１８が最初に受け取ったデジタル映像信号を変換してアナログ映像信号の出力を開始したとき、選択部２１は、アナログ映像信号出力制御部１８によって変換されたアナログ映像信号をモニタ１５に送り表示する。
【００３０】
カメラの映像表示を切断するときには、経路選択制御部１６から、モニタ１５へのカメラデータ表示の切断の指示が入力され、デジタルネットワーク１３を通して、その切断の指示がデジタル映像信号選択入力部１７に伝えられる。
【００３１】
デジタル映像信号選択入力部１７は、切断の指示を受け取ると、選択部２１に表示の中止を指示するとともに、表示種別保持部１９の種別情報を削除する。
【００３２】
表示種別保持部１９の種別情報が削除されても、デコード種別保持部２０には、種別情報が残っているので、デジタル映像信号選択入力部１７は、デコード種別保持部２０に保持された種別情報と同じ種別情報を持つデジタル映像信号を、デジタルネットワーク１３から選択入力して、アナログ映像信号出力制御部１８に送り続ける。
【００３３】
同じカメラの映像を再度表示する場合には、経路選択制御装置１６から、種別情報として同じカメラの番号が送られてくる。この種別情報は、表示種別保持部１９に保持される。デジタル映像信号選択入力部１７は、表示種別保持部１９に保持された種別情報と同じ種別情報を持つデジタル映像信号をデジタルネットワーク１３から選択入力するが、すでに、デコード種別保持部２０に同じ種別情報が保持されている。
【００３４】
このため、アナログ映像信号出力制御部１８に送られるデジタル映像信号は、カメラの映像の表示が再開される前と同じ種別情報、すなわち同じカメラのデジタル情報であるため、すぐに表示を開始することができる。
【００３５】
次に、映像監視システムの動作について、図２に示すフロー図を用いて説明する。
【００３６】
デジタル映像信号選択入力部１７は、デジタルネットワーク１３を通して、経路選択制御装置１６からモニタ１５に表示すべき表示種別（例えばカメラの番号）が、送られてきたか否かを判別する（ステップＳ１）。表示すべきカメラの番号が送られてこない間は、同じ操作を繰り返す（ステップＳ１、ＮＯ）。
【００３７】
種別情報が送られてきたら（ステップＳ１、ＹＥＳ）、その種別情報を表示種別保持部１９に保持する（ステップＳ２）。
【００３８】
アナログ映像信号出力制御部１８がデコード中でなければ（ステップＳ３、ＮＯ）、次に進む（ステップＳ５）。ステップＳ５では、デコード種別保持部２０に表示種別保持部１９に保持された種別情報をセットし（ステップＳ５ａ）、デジタル映像信号選択入力部１７が表示種別保持部１９に保持された種別情報と同じ種別情報を持つ映像データの受信を開始し（ステップＳ５ｂ）、アナログ映像信号出力制御部１８がデジタル映像信号のデコードを開始する（ステップＳ５ｃ）。
【００３９】
デコードには多少時間を要するので、最初のデジタル映像信号のデコードが完了し、アナログ映像信号による映像が完成するまで待つ（ステップＳ６、ＮＯ）。
【００４０】
アナログ映像信号による映像が完成したら（ステップＳ６、ＹＥＳ）、選択部２１を通してモニタ１５への表示を開始する（ステップＳ７）。
【００４１】
経路選択制御部１６から、モニタ１５に表示するカメラ画像の切換え、または切断がない間は表示を継続する（ステップＳ８、ＮＯ）。
【００４２】
カメラ画像の切換え、または切断があったときは（ステップＳ８、ＹＥＳ）、表示を終了する（ステップＳ９）。
【００４３】
カメラ画像の切断（図３参照）であった場合（ステップＳ１０、ＮＯ）、表示種別保持部１９から表示情報の削除を行ない（ステップＳ１１）、ステップＳ１に戻る。このとき、デジタル映像信号選択入力部１７は、表示種別保持部１９の種別情報が削除されているので、デコード種別保持部２０に保持された種別情報を参照して、同じ種別情報を持つ映像情報をデジタルネットワーク１３から選択入力し続ける（図３のフレームＡ７〜Ａ１２参照）。
【００４４】
再び、経路選択制御装置１６から、同じカメラ番号を入力したときは（ステップＳ１、ＹＥＳ）、表示種別を保持する（ステップＳ２）。このとき、アナログ映像信号出力制御部１８は、デジタル映像信号のデコード中である（ステップＳ３、ＹＥＳ）。そして、ステップＳ４で、表示種別とデコード種別が同じであるため（ステップＳ４、ＹＥＳ）、すぐにモニタ１５からの表示を開始し（ステップＳ７）、モニタ１５に図３のフレームＭ１９が表示される。
【００４５】
一方、画像の表示を開始した後（ステップＳ７）、カメラの切換えを受信したとき（ステップＳ８，ＹＥＳ）は、表示を終了した後（ステップＳ９）、カメラの切換えであることから（ステップＳ１０、ＹＥＳ）、表示種別を新たに保持する（ステップＳ２）。
【００４６】
そして、映像データのデコード中であるが（ステップＳ３、ＹＥＳ）、表示種別とデコード種別が異なるため（ステップＳ４、ＮＯ）、新たにデコード種別などのセットを行なう（ステップＳ５）。
【００４７】
なお、デコーダとモニタとの組み合わせは複数であってもよい。この場合は、各デコーダ毎に、経路選択制御装置から種別情報を送ることにより、各モニタに、様々なカメラの映像を表示することができる。
【００４８】
また、種別情報はカメラの番号でなくても良く、カメラまたはエンコーダを識別できるものであれば良い。
【００４９】
以上のように、本発明の実施の形態１の映像監視システムによれば、同じカメラの映像をモニタに表示する際、一旦表示を中止した場合にも、同じカメラの映像をデジタル映像信号にしたものをデコードし続けることにより、再度表示を行なった場合、モニタにすぐに映像を表示することができる。
【００５０】
（実施の形態２）
次に、本発明の実施の形態２について、図４および図５を用いて説明する。なお、実施の形態１と同じ部分については共通の符号を付してその説明を省略する。
【００５１】
本発明の実施の形態２が実施の形態１と異なるのは、図４の映像監視システムのブロック図において、図１に示す構成と比較してアナログ映像信号入力端子２２が付加されている点である。
【００５２】
アナログ映像信号入力端子２２には、デコーダ１４に接続されたカメラ１１ａ、１１ｂ、・・・１１ｋ〜１１ｎとは異なる、他のカメラ（図示せず）などが接続されている。
【００５３】
選択部２１は、表示種別保持部１９に保持されている種別情報が削除された場合、アナログ映像信号入力端子２２から入力された映像を選択する。この結果、モニタ１５には、アナログ映像信号入力端子２２に直接接続された他のカメラなどの映像が表示される。
【００５４】
図５は、本発明の実施の形態２の動作の流れを示すフロー図である。実施の形態１と異なるのは、開始直後に他のカメラの映像表示開始（ステップＳ１２）が追加されたこと、ステップＳ７で他のカメラの映像表示終了が付加されたこと、ステップＳ９で他のカメラの映像表示開始が付加されたことである。他のステップは、実施の形態１と同じであるので、説明を省略する。
【００５５】
開始直後、アナログ映像信号接続端子２２に接続された他のカメラの映像を表示する。この表示は、ステップＳ７で、デジタルネットワーク１３につながれたカメラ１１ａ、１１ｂ、・・・１１ｋ〜１１ｎの映像の表示が開始されるまで継続される。
【００５６】
また、デジタルネットワーク１３につながれたカメラ１１ａ、１１ｂ、・・・１１ｋ〜１１ｎの映像の表示が終了したとき、アナログ映像信号接続端子２２に接続された他のカメラの映像の表示が開始される。
【００５７】
図６は、映像の表示が切り替わる様子を示したものである。デジタルネットワーク１３につながれたカメラ１１ａ、１１ｂ、・・・１１ｋ〜１１ｎの映像の表示が切断された時、アナログ映像信号接続端子２２に接続された他のカメラの映像の表示が開始され、デジタルネットワーク１３につながれたカメラ１１ａ、１１ｂ、・・・１１ｋ〜１１ｎの映像の表示が開始された時、アナログ映像信号接続端子２２に接続された他のカメラの映像の表示が停止される。
【００５８】
以上のように、本発明の実施の形態２によれば、デジタルネットワークの経路が切断されてから接続されるまでの間に、デコーダに直接接続された他のカメラの映像を表示することができ、デジタルネットワークが再度接続されたとき、遅延なくデジタルネットワークに接続されたカメラの映像をモニタに映像を表示することができる映像監視システムを実現することができるものである。
【産業上の利用可能性】
【００５９】
以上のように、本発明にかかる映像監視システムは、同一モニタで映像を断続的に表示する場合において、デジタルネットワークの経路が接続されてからモニタに映像が表示されるまでの時間を短縮できるという効果を有し、繰り返しまたは周期的に撮影された映像を監視することが多い映像監視システムなどの用途に有用である。
【図面の簡単な説明】
【００６０】
【図１】本発明の実施の形態１における映像監視システムの構成を示すブロック図
【図２】本発明の第１の実施の形態における映像監視システムの動作説明のためのフロー図
【図３】本発明の実施の形態１における映像監視システムの動作を説明する図
【図４】本発明の実施の形態２における映像監視システムの構成を示すブロック図
【図５】本発明の実施の形態２における映像監視システムの動作説明のためのフロー図
【図６】本発明の実施の形態２における映像監視システムの動作を説明する図
【図７】従来の映像監視システムの構成を示すブロック図
【図８】従来の映像監視システムの動作を説明する図
【符号の説明】
【００６１】
１１ａ，１１ｂ，・・・１１ｋ〜１１ｎ    カメラ
１２ａ，１２ｂ，・・・１２ｋ〜１２ｎ    エンコーダ
１３    デジタルネットワーク
１４    デコーダ
１５    モニタ
１６    経路選択制御装置
１７    デジタル映像信号選択入力部
１８    アナログ映像信号出力制御部
１９    表示種別保持部（第１の種別保持部）
２０    デコード種別保持部（第２の種別保持部）
【図１】
2007043347.tif 000003
【図２】
2007043347.tif 000004
【図３】
2007043347.tif 000005
【図４】
2007043347.tif 000006
【図５】
2007043347.tif 000007
【図６】
2007043347.tif 000008
【図７】
2007043347.tif 000009
【図８】
2007043347.tif 000010